(57)【特許請求の範囲】
【請求項１】
複数の移動通信方式に基づく通信を行うことのできる移動局としての１つ以上のデュアル移動局と、当該複数の移動通信方式に基づく通信を行うことのできる制御局とを含んで構成された移動通信システムにおける位置登録方法であって、
前記デュアル移動局が、最初の位置登録の際に、前記移動通信方式に基づく複数の通信方式システムのうち、予め定められたメインシステムにのみ位置登録を行う初期登録工程と、
前記制御局が、前記メインシステム及びサブシステムの所定の負荷指標値を監視して、前記メインシステムの負荷指標値及び前記サブシステムの負荷指標値をそれぞれに関する基準値と比較し、該比較結果に基づいて、前記サブシステムに位置登録を行うよう命ずることの是非を判断し、当該判断結果に基づいて全てのデュアル移動局又は所定の確率で選択されるデュアル移動局に対し、前記複数の通信方式システムのうち未だ位置登録を行っていないサブシステムに位置登録を行うよう命令する命令工程と、
前記デュアル移動局が、前記命令を受けて前記サブシステムに位置登録を行う追加登録工程と、
を含むことを特徴とする位置登録方法。
【請求項２】
前記追加登録工程にて、前記命令を受けたデュアル移動局が、前記メインシステムの所定の無線品質指標値を測定し、当該無線品質指標値に基づきメインシステムの無線品質が劣化していると判断できる場合に、前記サブシステムに位置登録を行う、
ことを特徴とする請求項１に記載の位置登録方法。
【請求項３】
前記追加登録工程にて、前記命令を受けたデュアル移動局が、前記サブシステムの所定の無線品質指標値も測定し、メインシステムの無線品質が劣化していると判断でき且つ当該無線品質指標値に基づきサブシステムの無線品質が劣化していないと判断できる場合に、当該サブシステムに位置登録を行う、
ことを特徴とする請求項２記載の位置登録方法。
【請求項４】
複数の移動通信方式に基づく通信を行うことのできる移動局としての１つ以上のデュアル移動局と、当該複数の移動通信方式に基づく通信を行うことのできる制御局とを含んで構成された移動通信システムにおける位置登録方法であって、
前記デュアル移動局が、最初の位置登録の際に、前記移動通信方式に基づく複数の通信方式システムのうち、予め定められたメインシステムにのみ位置登録を行う初期登録工程と、
前記制御局が、前記メインシステムの所定の負荷指標値を監視して、前記負荷指標値を前記デュアル移動局に通知する負荷指標値通知工程と、
前記デュアル移動局が、通知された負荷指標値に基づき負荷が過大である又は過大となりうると判断できる場合に、前記複数の通信方式システムのうち未だ位置登録を行っていないサブシステムに位置登録を行う負荷条件下登録工程と、
を含むことを特徴とする位置登録方法。
【請求項５】
複数の移動通信方式に基づく通信を行うことのできる移動局としての１つ以上のデュアル移動局と、当該複数の移動通信方式に基づく通信を行うことのできる制御局とを含んで構成された移動通信システムにおける位置登録方法であって、
前記デュアル移動局が、最初の位置登録の際に、前記移動通信方式に基づく複数の通信方式システムのうち、予め定められたメインシステムにのみ位置登録を行う初期登録工程と、
前記制御局が、前記メインシステムの所定の負荷指標値を監視して、前記負荷指標値を前記デュアル移動局に通知する負荷指標値通知工程と、
前記デュアル移動局が、メインシステムの所定の無線品質指標値を測定する無線品質測定工程と、
前記デュアル移動局が、通知された負荷指標値に基づき負荷が過大である又は過大となりうると判断でき、かつ、前記無線品質指標値に基づきメインシステムの無線品質が劣化していると判断できる場合に、前記複数の通信方式システムのうち未だ位置登録を行っていないサブシステムに位置登録を行う二重条件下登録工程と、
を含むことを特徴とする位置登録方法。
【請求項６】
前記無線品質測定工程にて、前記デュアル移動局が、前記サブシステムの所定の無線品質指標値も測定し、
前記二重条件下登録工程にて、前記デュアル移動局が、前記判断ができる場合であり、且つ、前記サブシステムの無線品質指標値に基づきサブシステムの無線品質が劣化していないと判断できる場合に、当該サブシステムに位置登録を行う、
ことを特徴とする請求項５に記載の位置登録方法。
【請求項７】
前記負荷指標値通知工程にて、前記制御局が、前記サブシステムの負荷指標値も監視して、前記メインシステムの負荷指標値及び前記サブシステムの負荷指標値を前記デュアル移動局に通知し、
前記負荷条件下登録工程にて、前記デュアル移動局が、通知されたサブシステムの負荷指標値に基づきサブシステムの負荷が過大である又は過大となりうるとは判断できないことを条件として、当該サブシステムに位置登録を行う、
ことを特徴とする請求項４に記載の位置登録方法。
【請求項８】
前記負荷指標値通知工程にて、前記制御局が、前記サブシステムの負荷指標値も監視して、前記メインシステムの負荷指標値及び前記サブシステムの負荷指標値を前記デュアル移動局に通知し、
前記二重条件下登録工程にて、前記デュアル移動局が、通知されたサブシステムの負荷指標値に基づきサブシステムの負荷が過大である又は過大となりうるとは判断できないことを条件として、当該サブシステムに位置登録を行う、
ことを特徴とする請求項５に記載の位置登録方法。
【請求項９】
前記負荷指標値通知工程にて、前記制御局が、前記サブシステムの負荷指標値も監視して、前記メインシステムの負荷指標値及び前記サブシステムの負荷指標値を前記デュアル移動局に通知し、
前記無線品質測定工程にて、前記デュアル移動局が、前記サブシステムの所定の無線品質指標値も測定し、
前記二重条件下登録工程にて、前記デュアル移動局が、通知された負荷指標値及び測定で得られた無線品質指標値に基づき、前記メインシステムの負荷が過大である又は過大となりうると判断でき、かつ、前記メインシステムの無線品質が劣化していると判断でき、かつ、前記サブシステムの負荷が過大でない又は過大となりえないと判断でき、かつ、前記サブシステムの無線品質が劣化していないと判断できる場合に、当該サブシステムに位置登録を行う、
ことを特徴とする請求項５記載の位置登録方法。
【請求項１０】
前記所定の負荷指標値は、監視対象の通信方式システムのトラヒック又は監視対象の通信方式システムに位置登録されている移動局数であることを特徴とする請求項１〜５、７〜９の何れか１項に記載の位置登録方法。
【請求項１１】
前記所定の無線品質指標値は、デュアル移動局における信号電力対干渉電力比、干渉信号に対する希望波信号電力の比、信号電力対雑音電力比、希望波信号電力対雑音電力比、及び受信電力のうち１つ以上であることを特徴とする請求項２、３、５、６、９の何れか１項に記載の位置登録方法。
【請求項１２】
前記制御局は、
互いに異なる移動通信方式に基づく通信を行うことのできる複数の基地局と当該基地局を制御する無線制御局との集合体、
複数の移動通信方式に基づく通信を行うことのできる基地局、
又は、基地局を制御する無線制御局
の何れかにより構成されることを特徴とする請求項１〜１１の何れか１項に記載の位置登録方法。
【請求項１３】
複数の移動通信方式に基づく通信を行うことのできる移動局としての１つ以上のデュアル移動局と、当該複数の移動通信方式に基づく通信を行うことのできる制御局とを含んで構成された移動通信システムであって、
前記制御局が、
前記移動通信方式に基づく複数の通信方式システムのうち、予め定められたメインシステム及びサブシステムの所定の負荷指標値を監視する負荷監視手段と、
メインシステムの負荷指標値及び前記サブシステムの負荷指標値をそれぞれに関する基準値と比較し、該比較結果に基づいて、前記サブシステムに位置登録を行うよう命ずることの是非を判断し、当該判断結果に基づいて全てのデュアル移動局又は所定の確率で選択されるデュアル移動局に対し、前記複数の通信方式システムのうち未だ位置登録を行っていないサブシステムに位置登録を行うよう命令する命令制御手段とを備え、
前記デュアル移動局が、
前記通信方式システムに位置登録を行う位置登録手段と、
最初の位置登録の場合、前記メインシステムにのみ位置登録を行い、前記制御局から位置登録の命令を受けた場合、該命令に基づいて前記サブシステムに位置登録を行うよう、前記位置登録手段を制御する登録制御手段とを備えた、
ことを特徴とする移動通信システム。
【請求項１４】
前記デュアル移動局が、前記メインシステムの所定の無線品質指標値を測定する品質測定手段をさらに備え、
前記登録制御手段が、前記制御局から位置登録の命令を受けた場合、前記無線品質指標値に基づきメインシステムの無線品質が劣化していると判断できるときに、前記サブシステムに位置登録を行うよう前記位置登録手段を制御する、
ことを特徴とする請求項１３に記載の移動通信システム。
【請求項１５】
前記品質測定手段が、前記サブシステムの所定の無線品質指標値も測定し、
前記登録制御手段が、前記制御局から位置登録の命令を受けた場合、メインシステムの無線品質が劣化していると判断でき且つ前記サブシステムの無線品質指標値に基づきサブシステムの無線品質が劣化していないと判断できる場合に、当該サブシステムに位置登録を行う、
ことを特徴とする請求項１４記載の移動通信システム。
【請求項１６】
複数の移動通信方式に基づく通信を行うことのできる移動局としての１つ以上のデュアル移動局と、当該複数の移動通信方式に基づく通信を行うことのできる制御局とを含んで構成された移動通信システムであって、
前記制御局が、
前記移動通信方式に基づく複数の通信方式システムのうち、予め定められたメインシステムの所定の負荷指標値を監視する負荷監視手段と、
前記負荷指標値を前記デュアル移動局に通知する負荷指標値通知手段とを備え、
前記デュアル移動局が、
前記通信方式システムに位置登録を行う位置登録手段と、
最初の位置登録の場合、前記メインシステムにのみ位置登録を行い、通知された前記メインシステムの負荷指標値に基づき負荷が過大である又は過大となりうると判断できる場合に、前記複数の通信方式システムのうち未だ位置登録を行っていないサブシステムに位置登録を行うよう、前記位置登録手段を制御する登録制御手段とを備えた、
ことを特徴とする移動通信システム。
【請求項１７】
複数の移動通信方式に基づく通信を行うことのできる移動局としての１つ以上のデュアル移動局と、当該複数の移動通信方式に基づく通信を行うことのできる制御局とを含んで構成された移動通信システムであって、
前記制御局が、
前記移動通信方式に基づく複数の通信方式システムのうち、予め定められたメインシステムの所定の負荷指標値を監視する負荷監視手段と、
前記負荷指標値を前記デュアル移動局に通知する負荷指標値通知手段とを備え、
前記デュアル移動局が、
前記通信方式システムに位置登録を行う位置登録手段と、
メインシステムの所定の無線品質指標値を測定する品質測定手段と、
最初の位置登録の場合、前記メインシステムにのみ位置登録を行い、通知されたメインシステムの負荷指標値に基づき負荷が過大である又は過大となりうると判断でき、かつ、前記無線品質指標値に基づき無線品質が劣化していると判断できる場合に、前記複数の通信方式システムのうち未だ位置登録を行っていないサブシステムに位置登録を行うよう、前記位置登録手段を制御する登録制御手段とを備えた、
ことを特徴とする移動通信システム。
【請求項１８】
前記品質測定手段が、前記サブシステムの所定の無線品質指標値も測定し、
前記登録制御手段が、前記判断ができる場合であり、且つ、前記サブシステムの無線品質指標値に基づきサブシステムの無線品質が劣化していないと判断できる場合に、当該サブシステムに位置登録を行うよう制御する、
ことを特徴とする請求項１７に記載の移動通信システム。
【請求項１９】
前記負荷監視手段が、前記サブシステムの負荷指標値も監視し、
前記負荷指標値通知手段が、前記メインシステムの負荷指標値及び前記サブシステムの負荷指標値を前記デュアル移動局に通知し、
前記登録制御手段が、通知されたサブシステムの負荷指標値に基づきサブシステムの負荷が過大である又は過大となりうるとは判断できないことを条件として、当該サブシステムに位置登録を行うよう制御する、
ことを特徴とする請求項１６に記載の移動通信システム。
【請求項２０】
前記負荷監視手段が、前記サブシステムの負荷指標値も監視し、
前記負荷指標値通知手段が、前記メインシステムの負荷指標値及び前記サブシステムの負荷指標値を前記デュアル移動局に通知し、
前記登録制御手段が、通知されたサブシステムの負荷指標値に基づきサブシステムの負荷が過大である又は過大となりうるとは判断できないことを条件として、当該サブシステムに位置登録を行うよう制御する、
ことを特徴とする請求項１７に記載の移動通信システム。
【請求項２１】
前記負荷監視手段が、前記サブシステムの負荷指標値も監視し、
前記負荷指標値通知手段が、前記メインシステムの負荷指標値及び前記サブシステムの負荷指標値を前記デュアル移動局に通知し、
前記品質測定手段が、前記サブシステムの所定の無線品質指標値も測定し、
前記登録制御手段が、通知された負荷指標値及び測定で得られた無線品質指標値に基づき、前記メインシステムの負荷が過大である又は過大となりうると判断でき、かつ、前記メインシステムの無線品質が劣化していると判断でき、かつ、前記サブシステムの負荷が過大でない又は過大となりえないと判断でき、かつ、前記サブシステムの無線品質が劣化していないと判断できる場合に、当該サブシステムに位置登録を行うよう制御する、
ことを特徴とする請求項１７記載の移動通信システム。
【請求項２２】
前記所定の負荷指標値は、監視対象の通信方式システムのトラヒック又は監視対象の通信方式システムに位置登録されている移動局数であることを特徴とする請求項１３〜１７、１９〜２１の何れか１項に記載の移動通信システム。
【請求項２３】
前記所定の無線品質指標値は、デュアル移動局における信号電力対干渉電力比、干渉信号に対する希望波信号電力の比、信号電力対雑音電力比、希望波信号電力対雑音電力比、及び受信電力のうち１つ以上であることを特徴とする請求項１４、１５、１７、１８、２１の何れか１項に記載の移動通信システム。
【請求項２４】
前記制御局は、
互いに異なる移動通信方式に基づく通信を行うことのできる複数の基地局と当該基地局を制御する無線制御局との集合体、
複数の移動通信方式に基づく通信を行うことのできる基地局、
又は、基地局を制御する無線制御局
の何れかにより構成されることを特徴とする請求項１３〜２３の何れか１項に記載の移動通信システム。
【請求項２５】
複数の移動通信方式に基づく通信を実行可能とされ、最初は予め定められたメインシステムにのみ位置登録を行い位置登録命令に基づいてサブシステムに位置登録を行う移動局としての１つ以上のデュアル移動局、とともに移動通信システムを構成し、当該複数の移動通信方式に基づく通信を行うことのできる制御局であって、
前記移動通信方式に基づく複数の通信方式システムのうち前記メインシステムの所定の負荷指標値を監視する負荷監視手段と、
前記メインシステムの負荷指標値に基づき負荷が過大である又は過大となりうると判断できる場合に、全てのデュアル移動局又は所定の確率で選択されるデュアル移動局に対し、前記複数の通信方式システムのうち未だ位置登録を行っていないサブシステムに位置登録を行うよう命令する命令制御手段と、
を備え、
前記負荷監視手段が、前記サブシステムの負荷指標値も監視し、
前記命令制御手段が、前記メインシステムの負荷指標値及び前記サブシステムの負荷指標値をそれぞれに関する基準値と比較し、該比較結果に基づいて、前記サブシステムに位置登録を行うよう命ずることの是非を判断する、ことを特徴とする制御局。
【請求項２６】
複数の移動通信方式に基づく通信を実行可能とされ、最初は予め定められたメインシステムにのみ位置登録を行い該メインシステムの所定の負荷指標値を含む所定条件下でサブシステムに位置登録を行う移動局としての１つ以上のデュアル移動局、とともに移動通信システムを構成し、当該複数の移動通信方式に基づく通信を行うことのできる制御局であって、
前記メインシステムの所定の負荷指標値を監視する負荷監視手段と、
前記負荷指標値を前記デュアル移動局に通知する負荷指標値通知手段と、
を備えた制御局。
【請求項２７】
複数の移動通信方式に基づく通信を実行可能とされ、予め定められたメインシステムの所定の負荷指標値を監視し該負荷指標値を通知する制御局、とともに移動通信システムを構成し、当該複数の移動通信方式に基づく通信を行うことのできる移動局であって、
前記通信方式システムに位置登録を行う位置登録手段と、
最初の位置登録の場合、前記メインシステムにのみ位置登録を行い、前記制御局から通知されたメインシステムの負荷指標値に基づき負荷が過大である又は過大となりうると判断できる場合にサブシステムに位置登録を行うよう、前記位置登録手段を制御する登録制御手段と、
を備えた移動局。
【請求項２８】
複数の移動通信方式に基づく通信を実行可能とされ、予め定められたメインシステムの所定の負荷指標値を監視し該負荷指標値を通知する制御局、とともに移動通信システムを構成し、当該複数の移動通信方式に基づく通信を行うことのできる移動局であって、
前記通信方式システムに位置登録を行う位置登録手段と、
前記メインシステムの所定の無線品質指標値を測定する品質測定手段と、
最初の位置登録の場合、前記メインシステムにのみ位置登録を行い、前記制御局から通知されたメインシステムの負荷指標値に基づき負荷が過大である又は過大となりうると判断でき、かつ、前記無線品質指標値に基づき無線品質が劣化していると判断できる場合に、前記複数の通信方式システムのうち未だ位置登録を行っていないサブシステムに位置登録を行うよう、前記位置登録手段を制御する登録制御手段と、
を備えた移動局。
【発明の詳細な説明】
【０００１】
【発明の属する技術分野】
本発明は、位置登録方法、移動通信システム、制御局及び移動局に係り、より詳しくは、複数の移動通信方式に基づく通信を行うことのできる移動局としての１つ以上のデュアル移動局と、当該複数の移動通信方式に基づく通信を行うことのできる制御局とを含んで構成された移動通信システムにおける位置登録方法、当該移動通信システム、当該移動通信システムを構成する制御局及び移動局に関する。
【０００２】
なお、本明細書において、負荷指標値とは、通信方式システムの負荷が現在過大である又は近い将来過大となりうる状態であるか否かを判断するために用いられる指標値をいい、無線品質指標値とは、現状の無線品質が劣化した状態であるか否かを判断するために用いられる指標値をいう。
【０００３】
【従来の技術】
移動通信システムに用いられる通信方式（ＣＤＭＡ(Code Division Multiple Access)方式等）には、例えば、ＦＤＤ(Frequency Division Duplex)方式やＴＤＤ(Time Division Duplex)方式等があり、これらＦＤＤ方式に基づくＦＤＤシステムとＴＤＤ方式に基づくＴＤＤシステムとが同一地域を重畳してカバーすることがある。このように複数の異なる方式システムが混在するいわゆるデュアルシステムにおいて、複数の方式に基づく通信を行うことのできる移動局（いわゆるデュアル移動局）が技術的に実現されている。
【０００４】
【発明が解決しようとする課題】
しかしながら、従来のデュアルシステムにおいてデュアル移動局は、当該システムを構成する複数の異なる方式システムの全てに位置登録を行っていた。このため、位置登録を行うための制御情報によってシステム全体のトラヒックが増大するという問題点があった。また、デュアル移動局では、多くの方式システムに位置登録を行うために電力消費量が増大するという問題点があった。一方、デュアル移動局は一時点では１つの方式に基づく通信しか行わないので、常時複数の方式システム全てに位置登録を行う必要性は存在しない。
【０００５】
本発明は、上記課題を解決するために成されたものであり、デュアルシステムでのデュアル移動局による位置登録を必要なもののみに絞ることにより、トラヒックの増大及び移動局の電力消費量の増大を回避することができる位置登録方法、移動通信システム、制御局及び移動局を提供することを目的とする。
【０００６】
【課題を解決するための手段】
上記目的を達成するために、本発明に係る位置登録方法は、複数の移動通信方式に基づく通信を行うことのできる移動局としての１つ以上のデュアル移動局と、当該複数の移動通信方式に基づく通信を行うことのできる制御局とを含んで構成された移動通信システムにおける位置登録方法であって、前記デュアル移動局が、最初の位置登録の際に、前記移動通信方式に基づく複数の通信方式システムのうち、予め定められたメインシステムにのみ位置登録を行う初期登録工程と、前記制御局が、前記メインシステム及びサブシステムの所定の負荷指標値を監視して、前記メインシステムの負荷指標値及び前記サブシステムの負荷指標値をそれぞれに関する基準値と比較し、該比較結果に基づいて、前記サブシステムに位置登録を行うよう命ずることの是非を判断し、当該判断結果に基づいて、全てのデュアル移動局又は所定の確率で選択されるデュアル移動局に対し、前記複数の通信方式システムのうち未だ位置登録を行っていないサブシステムに位置登録を行うよう命令する命令工程と、前記デュアル移動局が、前記命令を受けて前記サブシステムに位置登録を行う追加登録工程とを含むことを特徴とする。
【０００７】
この位置登録方法では、まず、初期登録工程にて、デュアル移動局が、最初の位置登録の際に、移動通信方式に基づく複数の通信方式システムのうち、予め定められたメインシステムにのみ位置登録を行う。次に、命令工程にて、制御局が、メインシステム及びサブシステムの所定の負荷指標値を監視して、メインシステムの負荷指標値及び前記サブシステムの負荷指標値をそれぞれに関する基準値と比較し、該比較結果に基づいて、前記サブシステムに位置登録を行うよう命ずることの是非を判断し、当該判断結果に基づいて、全てのデュアル移動局又は所定の確率で選択されるデュアル移動局に対し、複数の通信方式システムのうち未だ位置登録を行っていないサブシステムに位置登録を行うよう命令する。そして、追加登録工程にて、デュアル移動局が、制御局からの命令を受けてサブシステムに位置登録を行う。
【０００８】
このようにデュアル移動局は、最初メインシステムにのみ位置登録を行い、その後、メインシステムの所定の負荷指標値に基づき負荷が過大である又は過大となりうると判断できるときに（例えばトラヒックが基準値を超えた、又はメインシステムへの位置登録数が基準値を超えたときに）、制御局からの命令を受けてサブシステムに位置登録を行うため、デュアル移動局による位置登録を必要なもののみに絞ることができ、トラヒックの増大及び移動局の電力消費量の増大を回避することができる。またメインシステムのみならずサブシステムの負荷も考慮することができ、サブシステムの所定の負荷指標値に基づき負荷が過大である又は過大となりうると判断できる場合には、制御局は当該サブシステムへの位置登録命令を回避する等の適切な対応をとることが可能となる。
【００１１】
また、本発明に係る位置登録方法では、前記追加登録工程にて、前記命令を受けたデュアル移動局が、メインシステムの所定の無線品質指標値を測定し、前記無線品質指標値に基づき無線品質が劣化していると判断できる場合に、前記サブシステムに位置登録を行うことが望ましい。
【００１２】
この場合、メインシステムの無線品質も考慮し、測定で得られた無線品質指標値に基づきメインシステムの無線品質が劣化していると判断できる場合にサブシステムへの位置登録を行うことで、デュアル移動局による位置登録を必要なものに適切に絞ることができる。
【００１３】
また、本発明に係る位置登録方法では、前記追加登録工程にて、前記命令を受けたデュアル移動局が、前記サブシステムの所定の無線品質指標値も測定し、メインシステムの無線品質が劣化していると判断でき且つ当該無線品質指標値に基づきサブシステムの無線品質が劣化していないと判断できる場合に、当該サブシステムに位置登録を行うことが望ましい。
【００１４】
この場合、さらにサブシステムの無線品質も考慮し、メインシステムの無線品質が劣化していると判断でき且つ測定で得られた無線品質指標値に基づきサブシステムの無線品質が劣化していないと判断できる場合にサブシステムへの位置登録を行うことで、無線品質が劣化しているサブシステムへの位置登録を回避することができ、位置登録をより適切に行うことができる。
【００１５】
また、本発明に係る位置登録方法では、複数の移動通信方式に基づく通信を行うことのできる移動局としての１つ以上のデュアル移動局と、当該複数の移動通信方式に基づく通信を行うことのできる制御局とを含んで構成された移動通信システムにおける位置登録方法であって、前記デュアル移動局が、最初の位置登録の際に、前記移動通信方式に基づく複数の通信方式システムのうち、予め定められたメインシステムにのみ位置登録を行う初期登録工程と、前記制御局が、前記メインシステムの所定の負荷指標値を監視して、前記負荷指標値を前記デュアル移動局に通知する負荷指標値通知工程と、前記デュアル移動局が、通知された負荷指標値に基づき負荷が過大である又は過大となりうると判断できる場合に、前記複数の通信方式システムのうち未だ位置登録を行っていないサブシステムに位置登録を行う負荷条件下登録工程とを含むことを特徴とする。
【００１６】
この位置登録方法では、まず、初期登録工程にて、デュアル移動局が、最初の位置登録の際に、移動通信方式に基づく複数の通信方式システムのうち、予め定められたメインシステムにのみ位置登録を行う。次に、負荷指標値通知工程にて、制御局が、メインシステムの所定の負荷指標値を監視して、負荷指標値を前記デュアル移動局に通知する。そして、負荷条件下登録工程にて、デュアル移動局が、通知された負荷指標値に基づき負荷が過大である又は過大となりうると判断できる場合に、複数の通信方式システムのうち未だ位置登録を行っていないサブシステムに位置登録を行う。
【００１７】
この場合、デュアル移動局は、制御局からのメインシステムの負荷指標値の通知を受け、該負荷指標値に基づき負荷が過大である又は過大となりうると判断できる場合に、サブシステムに位置登録を行うため、メインシステムの負荷に応じて、デュアル移動局による位置登録を適切に絞ることができ、トラヒックの増大及び移動局の電力消費量の増大を回避することができる。
【００２１】
また、本発明に係る位置登録方法では、複数の移動通信方式に基づく通信を行うことのできる移動局としての１つ以上のデュアル移動局と、当該複数の移動通信方式に基づく通信を行うことのできる制御局とを含んで構成された移動通信システムにおける位置登録方法であって、前記デュアル移動局が、最初の位置登録の際に、前記移動通信方式に基づく複数の通信方式システムのうち、予め定められたメインシステムにのみ位置登録を行う初期登録工程と、前記制御局が、前記メインシステムの所定の負荷指標値を監視して、前記負荷指標値を前記デュアル移動局に通知する負荷指標値通知工程と、前記デュアル移動局が、メインシステムの所定の無線品質指標値を測定する無線品質測定工程と、前記デュアル移動局が、通知された負荷指標値に基づき負荷が過大である又は過大となりうると判断でき、かつ、前記無線品質指標値に基づきメインシステムの無線品質が劣化していると判断できる場合に、前記複数の通信方式システムのうち未だ位置登録を行っていないサブシステムに位置登録を行う二重条件下登録工程とを含むことを特徴とする。
【００２２】
この位置登録方法では、まず、初期登録工程にて、デュアル移動局が、最初の位置登録の際に、移動通信方式に基づく複数の通信方式システムのうち、予め定められたメインシステムにのみ位置登録を行う。次に、負荷指標値通知工程にて、制御局が、メインシステムの所定の負荷指標値を監視して、負荷指標値をデュアル移動局に通知する。また、無線品質測定工程では、デュアル移動局がメインシステムの所定の無線品質指標値を測定する。そして、二重条件下登録工程にて、デュアル移動局が、通知された負荷指標値に基づき負荷が過大である又は過大となりうると判断でき、かつ、無線品質指標値に基づきメインシステムの無線品質が劣化していると判断できる場合に、複数の通信方式システムのうち未だ位置登録を行っていないサブシステムに位置登録を行う。
【００２３】
この場合、デュアル移動局は、制御局から通知されたメインシステムの負荷指標値に基づき負荷が過大である又は過大となりうると判断でき、且つ、測定で得られた無線品質指標値に基づきメインシステムの無線品質が劣化していると判断できる場合に、サブシステムに位置登録を行うため、メインシステムの負荷と無線品質の両方に応じて、デュアル移動局による位置登録をより適切に絞ることができ、トラヒックの増大及び移動局の電力消費量の増大を回避することができる。
【００２４】
このとき、記無線品質測定工程にて、前記デュアル移動局が、前記サブシステムの所定の無線品質指標値も測定し、前記二重条件下登録工程にて、前記デュアル移動局が、前記判断ができる場合であり、且つ、前記サブシステムの無線品質指標値に基づきサブシステムの無線品質が劣化していないと判断できる場合に、当該サブシステムに位置登録を行うことが望ましい。
【００２５】
この場合、さらにサブシステムの無線品質も考慮し、前記判断ができる場合であり、且つ、測定で得られた無線品質指標値に基づきサブシステムの無線品質が劣化していないと判断できる場合にサブシステムへの位置登録を行うことで、無線品質が劣化しているサブシステムへの位置登録を回避することができ、位置登録をより適切に行うことができる。
【００２６】
なお、本発明に係る位置登録方法では、前記負荷指標値通知工程にて、前記制御局が、前記サブシステムの負荷指標値も監視して、前記メインシステムの負荷指標値及び前記サブシステムの負荷指標値を前記デュアル移動局に通知し、前記負荷条件下登録工程にて、前記デュアル移動局が、通知されたサブシステムの負荷指標値に基づきサブシステムの負荷が過大である又は過大となりうるとは判断できないことを条件として、当該サブシステムに位置登録を行うことが望ましい。また、本発明に係る位置登録方法では、前記負荷指標値通知工程にて、前記制御局が、前記サブシステムの負荷指標値も監視して、前記メインシステムの負荷指標値及び前記サブシステムの負荷指標値を前記デュアル移動局に通知し、前記二重条件下登録工程にて、前記デュアル移動局が、通知されたサブシステムの負荷指標値に基づきサブシステムの負荷が過大である又は過大となりうるとは判断できないことを条件として、当該サブシステムに位置登録を行うことが望ましい。
【００２７】
この場合、さらに、サブシステムの負荷も考慮して、デュアル移動局は、サブシステムの負荷指標値に基づきサブシステムの負荷が過大である又は過大となりうるとは判断できないことを条件として、当該サブシステムに位置登録を行うため、サブシステムの負荷が過大である又は過大となりうる場合にサブシステムに位置登録を行うといった不都合を回避することができる。
【００２８】
また、本発明に係る位置登録方法では、前記負荷指標値通知工程にて、前記制御局が、前記サブシステムの負荷指標値も監視して、前記メインシステムの負荷指標値及び前記サブシステムの負荷指標値を前記デュアル移動局に通知し、前記無線品質測定工程にて、前記デュアル移動局が、前記サブシステムの所定の無線品質指標値も測定し、前記二重条件下登録工程にて、前記デュアル移動局が、通知された負荷指標値及び測定で得られた無線品質指標値に基づき、前記メインシステムの負荷が過大である又は過大となりうると判断でき、かつ、前記メインシステムの無線品質が劣化していると判断でき、かつ、前記サブシステムの負荷が過大でない又は過大となりえないと判断でき、かつ、前記サブシステムの無線品質が劣化していないと判断できる場合に、当該サブシステムに位置登録を行うことが望ましい。
【００２９】
この場合、さらに、サブシステムの負荷と無線品質の両方を考慮して、デュアル移動局は、サブシステムの負荷が過大でない又は過大となりえないと判断でき、かつ、サブシステムの無線品質が劣化していないと判断できる場合に、当該サブシステムに位置登録を行うため、サブシステムの負荷が過大である又は過大となりうる場合又はサブシステムの無線品質が劣化している場合に、サブシステムに位置登録を行うといった不都合を回避することができる。
【００３０】
また、本発明に係る位置登録方法では、所定の負荷指標値としては、監視対象の通信方式システムのトラヒック又は監視対象の通信方式システムに位置登録されている移動局数を採用することができる。
【００３１】
また、本発明に係る位置登録方法では、所定の無線品質指標値としては、デュアル移動局における信号電力対干渉電力比（ＳＩＲ）、干渉信号に対する希望波信号電力の比（ＣＩＲ）、信号電力対雑音電力比（ＳＮＲ）、希望波信号電力対雑音電力比（ＣＮＲ）、及び受信電力のうち１つ又は２つ以上の組合せを採用することができる。
【００３２】
また、本発明に係る位置登録方法では、前記制御局は、互いに異なる移動通信方式に基づく通信を行うことのできる複数の基地局と当該基地局を制御する無線制御局との集合体、複数の移動通信方式に基づく通信を行うことのできる基地局、又は、基地局を制御する無線制御局の何れかにより構成することができる。
【００３３】
ところで、上述した位置登録方法に係る発明は、以下のような移動通信システムに係る発明、制御局に係る発明、及び移動局に係る発明として捉えることもできる。これらは実質的に同一の技術的思想に基づくものであり、同様の作用・効果を奏する。
【００３４】
即ち、前記目的を達成するために、本発明に係る移動通信システムは、複数の移動通信方式に基づく通信を行うことのできる移動局としての１つ以上のデュアル移動局と、当該複数の移動通信方式に基づく通信を行うことのできる制御局とを含んで構成された移動通信システムであって、前記制御局が、前記移動通信方式に基づく複数の通信方式システムのうち、予め定められたメインシステム及びサブシステムの所定の負荷指標値を監視する負荷監視手段と、メインシステムの負荷指標値及び前記サブシステムの負荷指標値をそれぞれに関する基準値と比較し、該比較結果に基づいて、前記サブシステムに位置登録を行うよう命ずることの是非を判断し、当該判断結果に基づいて全てのデュアル移動局又は所定の確率で選択されるデュアル移動局に対し、前記複数の通信方式システムのうち未だ位置登録を行っていないサブシステムに位置登録を行うよう命令する命令制御手段とを備え、前記デュアル移動局が、前記通信方式システムに位置登録を行う位置登録手段と、最初の位置登録の場合、前記メインシステムにのみ位置登録を行い、前記制御局から位置登録の命令を受けた場合、該命令に基づいて前記サブシステムに位置登録を行うよう、前記位置登録手段を制御する登録制御手段とを備えたことを特徴とする。
【００３６】
また、前記デュアル移動局が、前記メインシステムの所定の無線品質指標値を測定する品質測定手段をさらに備え、前記登録制御手段が、前記制御局から位置登録の命令を受けた場合、前記無線品質指標値に基づきメインシステムの無線品質が劣化していると判断できるときに、前記サブシステムに位置登録を行うよう前記位置登録手段を制御する構成とすることが望ましい。
【００３７】
このとき、前記品質測定手段が、前記サブシステムの所定の無線品質指標値も測定し、前記登録制御手段が、前記制御局から位置登録の命令を受けた場合、メインシステムの無線品質が劣化していると判断でき且つ前記サブシステムの無線品質指標値に基づきサブシステムの無線品質が劣化していないと判断できる場合に、当該サブシステムに位置登録を行う構成とすることが望ましい。
【００３８】
また、本発明に係る移動通信システムは、複数の移動通信方式に基づく通信を行うことのできる移動局としての１つ以上のデュアル移動局と、当該複数の移動通信方式に基づく通信を行うことのできる制御局とを含んで構成された移動通信システムであって、前記制御局が、前記移動通信方式に基づく複数の通信方式システムのうち、予め定められたメインシステムの所定の負荷指標値を監視する負荷監視手段と、前記負荷指標値を前記デュアル移動局に通知する負荷指標値通知手段とを備え、前記デュアル移動局が、前記通信方式システムに位置登録を行う位置登録手段と、最初の位置登録の場合、前記メインシステムにのみ位置登録を行い、通知された前記メインシステムの負荷指標値に基づき負荷が過大である又は過大となりうると判断できる場合に、前記複数の通信方式システムのうち未だ位置登録を行っていないサブシステムに位置登録を行うよう、前記位置登録手段を制御する登録制御手段とを備えたことを特徴とする。
【００４０】
また、本発明に係る移動通信システムは、複数の移動通信方式に基づく通信を行うことのできる移動局としての１つ以上のデュアル移動局と、当該複数の移動通信方式に基づく通信を行うことのできる制御局とを含んで構成された移動通信システムであって、前記制御局が、前記移動通信方式に基づく複数の通信方式システムのうち、予め定められたメインシステムの所定の負荷指標値を監視する負荷監視手段と、前記負荷指標値を前記デュアル移動局に通知する負荷指標値通知手段とを備え、前記デュアル移動局が、前記通信方式システムに位置登録を行う位置登録手段と、メインシステムの所定の無線品質指標値を測定する品質測定手段と、最初の位置登録の場合、前記メインシステムにのみ位置登録を行い、通知されたメインシステムの負荷指標値に基づき負荷が過大である又は過大となりうると判断でき、かつ、前記無線品質指標値に基づき無線品質が劣化していると判断できる場合に、前記複数の通信方式システムのうち未だ位置登録を行っていないサブシステムに位置登録を行うよう、前記位置登録手段を制御する登録制御手段とを備えたことを特徴とする。
【００４１】
このとき、前記品質測定手段が、前記サブシステムの所定の無線品質指標値も測定し、前記登録制御手段が、前記判断ができる場合であり、且つ、前記サブシステムの無線品質指標値に基づきサブシステムの無線品質が劣化していないと判断できる場合に、当該サブシステムに位置登録を行うよう制御する構成とすることが望ましい。
【００４２】
また、前記負荷監視手段が、前記サブシステムの負荷指標値も監視し、前記負荷指標値通知手段が、前記メインシステムの負荷指標値及び前記サブシステムの負荷指標値を前記デュアル移動局に通知し、前記登録制御手段が、通知されたサブシステムの負荷指標値に基づきサブシステムの負荷が過大である又は過大となりうるとは判断できないことを条件として、当該サブシステムに位置登録を行うよう制御する構成とすることが望ましい。
【００４３】
また、前記負荷監視手段が、前記サブシステムの負荷指標値も監視し、前記負荷指標値通知手段が、前記メインシステムの負荷指標値及び前記サブシステムの負荷指標値を前記デュアル移動局に通知し、前記品質測定手段が、前記サブシステムの所定の無線品質指標値も測定し、前記登録制御手段が、通知された負荷指標値及び測定で得られた無線品質指標値に基づき、前記メインシステムの負荷が過大である又は過大となりうると判断でき、かつ、前記メインシステムの無線品質が劣化していると判断でき、かつ、前記サブシステムの負荷が過大でない又は過大となりえないと判断でき、かつ、前記サブシステムの無線品質が劣化していないと判断できる場合に、当該サブシステムに位置登録を行うよう制御する構成とすることが望ましい。
【００４４】
また、前記所定の負荷指標値としては、監視対象の通信方式システムのトラヒック又は監視対象の通信方式システムに位置登録されている移動局数を用いることが望ましい。
【００４５】
また、前記所定の無線品質指標値としては、デュアル移動局における信号電力対干渉電力比（ＳＩＲ）、干渉信号に対する希望波信号電力の比（ＣＩＲ）、信号電力対雑音電力比（ＳＮＲ）、希望波信号電力対雑音電力比（ＣＮＲ）、及び受信電力のうち１つ以上を用いることが望ましい。
【００４６】
また、前記制御局は、互いに異なる移動通信方式に基づく通信を行うことのできる複数の基地局と当該基地局を制御する無線制御局との集合体、複数の移動通信方式に基づく通信を行うことのできる基地局、又は、基地局を制御する無線制御局の何れかにより構成することができる。
【００４７】
上記目的を達成するために、本発明に係る制御局は、複数の移動通信方式に基づく通信を実行可能とされ、最初は予め定められたメインシステムにのみ位置登録を行い位置登録命令に基づいてサブシステムに位置登録を行う移動局としての１つ以上のデュアル移動局、とともに移動通信システムを構成し、当該複数の移動通信方式に基づく通信を行うことのできる制御局であって、前記移動通信方式に基づく複数の通信方式システムのうち前記メインシステムの所定の負荷指標値を監視する負荷監視手段と、前記メインシステムの負荷指標値に基づき負荷が過大である又は過大となりうると判断できる場合に、全てのデュアル移動局又は所定の確率で選択されるデュアル移動局に対し、前記複数の通信方式システムのうち未だ位置登録を行っていないサブシステムに位置登録を行うよう命令する命令制御手段とを備え、前記負荷監視手段が、前記サブシステムの負荷指標値も監視し、前記命令制御手段が、前記メインシステムの負荷指標値及び前記サブシステムの負荷指標値をそれぞれに関する基準値と比較し、該比較結果に基づいて、前記サブシステムに位置登録を行うよう命ずることの是非を判断することを特徴とする。
【００４８】
また、本発明に係る制御局は、複数の移動通信方式に基づく通信を実行可能とされ、最初は予め定められたメインシステムにのみ位置登録を行い該メインシステムの所定の負荷指標値を含む所定条件下でサブシステムに位置登録を行う移動局としての１つ以上のデュアル移動局、とともに移動通信システムを構成し、当該複数の移動通信方式に基づく通信を行うことのできる制御局であって、前記移動通信方式に基づく複数の通信方式システムのうち前記メインシステムの所定の負荷指標値を監視する負荷監視手段と、前記負荷指標値を前記デュアル移動局に通知する負荷指標値通知手段とを備えたことを特徴とする。
【００５０】
また、本発明に係る移動局は、複数の移動通信方式に基づく通信を実行可能とされ、予め定められたメインシステムの所定の負荷指標値を監視し該負荷指標値を通知する制御局、とともに移動通信システムを構成し、当該複数の移動通信方式に基づく通信を行うことのできる移動局であって、前記通信方式システムに位置登録を行う位置登録手段と、最初の位置登録の場合、前記メインシステムにのみ位置登録を行い、前記制御局から通知されたメインシステムの負荷指標値に基づき負荷が過大である又は過大となりうると判断できる場合にサブシステムに位置登録を行うよう、前記位置登録手段を制御する登録制御手段とを備えたことを特徴とする。
【００５２】
また、本発明に係る移動局は、複数の移動通信方式に基づく通信を実行可能とされ、予め定められたメインシステムの所定の負荷指標値を監視し該負荷指標値を通知する制御局、とともに移動通信システムを構成し、当該複数の移動通信方式に基づく通信を行うことのできる移動局であって、前記通信方式システムに位置登録を行う位置登録手段と、前記メインシステムの所定の無線品質指標値を測定する品質測定手段と、最初の位置登録の場合、前記メインシステムにのみ位置登録を行い、前記制御局から通知されたメインシステムの負荷指標値に基づき負荷が過大である又は過大となりうると判断でき、かつ、前記無線品質指標値に基づき無線品質が劣化していると判断できる場合に、前記複数の通信方式システムのうち未だ位置登録を行っていないサブシステムに位置登録を行うよう、前記位置登録手段を制御する登録制御手段とを備えたことを特徴とする。
【００５３】
【発明の実施の形態】
［第１実施形態］
まず、本発明に係る第１実施形態について説明する。図１には本実施形態の移動通信システムの構成図を、図８には制御局の各種構成例を示す図を、図２（ａ）には本実施形態の制御局とデュアル移動局の構成を表す機能ブロック図を示す。
【００５４】
図１に示すように、本実施形態の移動通信システム１は、制御局１０と、該制御局１０のセル２に在圏する複数の移動局２０、２１とを含んで構成されている。制御局１０は、ＩＭＴ２０００によるＣＤＭＡ−ＦＤＤ（Frequency Division Duplex）システム（以下、ＦＤＤシステムという）とＣＤＭＡ−ＴＤＤ（Time Division Duplex）システム（以下、ＴＤＤシステムという）の２つの通信方式に基づく通信を行うことが可能で、セル２に在圏する移動局に対し、上記２つのシステムによる無線通信を提供可能とされている。
【００５５】
移動局２０、２１のうち移動局２０は、上記２つのシステムを利用して２つの通信方式に基づく通信を行うことが可能とされ、移動局２１は単一の通信方式（例えばＦＤＤシステム）に基づく通信のみを行うことが可能とされている。本発明はこのうち移動局２０のようないわゆるデュアル移動局に関するものであるため、以下では移動局２０を「デュアル移動局２０」と称し、該デュアル移動局２０について、その構成及び動作を説明していく。
【００５６】
一方、制御局１０は、例えば図８（ａ）に示すように、ＦＤＤシステムに基づく通信を提供する基地局１２と、ＴＤＤシステムに基づく通信を提供する基地局１３と、これらを制御する無線制御局１１とにより構成される。なお、制御局１０は、図８（ｂ）に示すようにＦＤＤシステムとＴＤＤシステムの両方を提供可能な基地局により構成してもよいし、図８（ｃ）に示すようにＦＤＤシステムとＴＤＤシステムの両方を提供可能な無線制御局により構成してもよい。
【００５７】
図２（ａ）に示すように、制御局１０は、ＦＤＤシステムとＴＤＤシステムのうち予め定められたメインシステム（ここではＦＤＤシステムとする）の所定の負荷指標値を監視する負荷監視手段１０Ａと、メインシステムの負荷指標値に基づき負荷が過大である又は過大となりうると判断できる場合に、全てのデュアル移動局２０に対しサブシステム（ここではＴＤＤシステムとする）に位置登録を行うよう命令する命令制御手段１０Ｂとを備えている。このうち負荷監視手段１０Ａは、所定の負荷指標値として、監視対象の通信方式システムのトラヒック及び監視対象の通信方式システムに位置登録されている移動局数を監視する機能を備えている。
【００５８】
デュアル移動局２０は、ＦＤＤシステムやＴＤＤシステム等の通信方式システムに位置登録を行う位置登録手段２０Ａと、位置登録手段２０Ａによる位置登録動作を制御する登録制御手段２０Ｂと、各システムの所定の無線品質指標値を測定する品質測定手段２０Ｃとを備えている。登録制御手段２０Ｂは、最初の位置登録の場合、メインシステムにのみ位置登録を行い、制御局１０から位置登録命令を受けた場合に、該命令に基づいてサブシステムに位置登録を行うよう制御する。また、品質測定手段２０Ｃは、所定の無線品質指標値として、自局における信号電力対干渉電力比（ＳＩＲ）、干渉信号に対する希望波信号電力の比（ＣＩＲ）、信号電力対雑音電力比（ＳＮＲ）、希望波信号電力対雑音電力比（ＣＮＲ）及び受信電力を測定する機能を備えている。
【００５９】
なお、本実施形態にて制御局１０の命令制御手段１０Ｂは、全てのデュアル移動局２０に対してサブシステムへの位置登録を命令する例を示すが、所定の確率で選択される一部のデュアル移動局２０に対してサブシステムへの位置登録を命令してもよい。特に、デュアル移動局２０が多数である場合には、その全てのデュアル移動局２０にサブシステムへの位置登録を行わせると、サブシステムの負荷が急激に上昇するおそれがあるため、所定の確率で選択される一部のデュアル移動局２０に対し位置登録を命令する方がより望ましい。
【００６０】
次に、図３（ａ）、（ｂ）を用いて移動通信システム１における制御局１０とデュアル移動局２０の動作を説明する。
【００６１】
デュアル移動局２０は、最初の位置登録の際に位置登録手段２０Ａにより、メインシステムであるＦＤＤシステムにのみ位置登録を行う（Ａ０１）。
【００６２】
一方の制御局１０は、負荷監視手段１０Ａにより、メインシステムであるＦＤＤシステムのトラヒックを監視し（Ｂ０１）、命令制御手段１０ＢによりＦＤＤシステムのトラヒックが、予め定められたメインシステムのトラヒック用の基準値を超えているか否かを判断する（Ｂ０２）。ここで、該トラヒックが基準値を超えていなければ、ＦＤＤシステムの負荷は過大ではないと判断できるため、負荷監視手段１０Ａによるトラヒックの監視を継続する（Ｂ０１）。一方、該トラヒックが基準値を超えていれば、ＦＤＤシステムの負荷は過大であると判断できるため、命令制御手段１０Ｂにより、全てのデュアル移動局２０に対し、サブシステムであるＴＤＤシステムに位置登録を行うよう命令する（Ｂ０３）。
【００６３】
デュアル移動局２０は、上記制御局１０からのＴＤＤシステムへの位置登録命令を受信し（Ａ０２）、位置登録手段２０Ａにより当該位置登録命令に基づきＴＤＤシステムに位置登録を行う（Ａ０３）。
【００６４】
このように図３の動作によれば、ＦＤＤシステムの負荷が過大であると判断できるときに、制御局１０からの命令に基づきデュアル移動局２０がＴＤＤシステムに位置登録を行うため、デュアル移動局２０による位置登録を必要なもののみに絞ることができ、トラヒックの増大及び移動局の電力消費量の増大を回避することができる。
【００６５】
ところで、図３の移動局及び制御局の動作を変形・改良したものとして、図４に示す動作が挙げられる。以下、この図４の動作を説明する。
【００６６】
デュアル移動局２０は、最初の位置登録の際に位置登録手段２０Ａにより、メインシステムであるＦＤＤシステムにのみ位置登録を行う（Ａ１１）。一方の制御局１０は、負荷監視手段１０Ａにより、メインシステムであるＦＤＤシステムとサブシステムであるＴＤＤシステムの両方のトラヒックを監視し（Ｂ１１）、命令制御手段１０Ｂにより、まずＦＤＤシステムのトラヒックが、予め定められたメインシステム用の基準値を超えているか否かを判断する（Ｂ１２）。ここで、該トラヒックが基準値を超えていなければ、ＦＤＤシステムの負荷は過大ではないと判断できるため、負荷監視手段１０Ａによるトラヒックの監視を継続する（Ｂ１１）。
【００６７】
一方、ＦＤＤシステムのトラヒックが基準値を超えていれば、ＦＤＤシステムの負荷は過大であると判断できるため、次にＴＤＤシステムのトラヒックが、予め定められたサブシステム用の基準値を超えていないことを確認した後（Ｂ１３）、命令制御手段１０Ｂにより、全てのデュアル移動局２０に対し、サブシステムであるＴＤＤシステムに位置登録を行うよう命令する（Ｂ１４）。もし、ＴＤＤシステムのトラヒックが基準値を超えていれば（Ｂ１３）、ＴＤＤシステムへ新たに位置登録を行うことは望ましくないので、デュアル移動局２０に対する位置登録命令は回避する（Ｂ１１へ戻る）。
【００６８】
デュアル移動局２０は、上記制御局１０からのＴＤＤシステムへの位置登録命令を受信すると（Ａ１２）、品質測定手段２０ＣによりＦＤＤシステムのＳＩＲとＴＤＤシステムのＳＩＲの両方を測定し（Ａ１３）、測定で得られたＦＤＤシステムのＳＩＲが、予め定められたＦＤＤシステムのＳＩＲ用の基準値を下回っているか否かを判断する（Ａ１４）。ここで、該ＳＩＲが基準値を下回っていれば、現状のＦＤＤシステムの無線品質は劣化していると判断できるため、測定で得られたＴＤＤシステムのＳＩＲが、予め定められたＴＤＤシステムのＳＩＲ用の基準値を下回っていないことを確認した後（Ａ１５）、位置登録手段２０ＡによりＴＤＤシステムに位置登録を行う（Ａ１６）。
【００６９】
一方、Ａ１４にてＦＤＤシステムのＳＩＲが基準値を下回っていなければ、現状のＦＤＤシステムの無線品質は劣化していないと判断できるため、位置登録手段２０ＡによるＴＤＤシステムへの位置登録を回避する（Ａ１６を回避）。また、Ａ１５にてＴＤＤシステムのＳＩＲが基準値を下回っていれば、現状のＴＤＤシステムの無線品質は劣化していると判断できるため、位置登録手段２０Ａによる当該ＴＤＤシステムへの位置登録を回避する（Ａ１６を回避）。
【００７０】
このように図４の動作によれば、メインシステムのみならずサブシステム（ＴＤＤシステム）の負荷も考慮することができ、ＴＤＤシステムのトラヒックが基準値を超えている場合には、ＴＤＤシステムへの新たな位置登録を回避することができる。また、ＦＤＤ、ＴＤＤの各システムの無線品質も考慮することができ、測定で得られたＳＩＲに基づき、ＦＤＤシステムの無線品質が劣化していると判断でき且つＴＤＤシステムの無線品質が劣化していないと判断できる場合にのみＴＤＤシステムへの位置登録を行うことで、位置登録先のＴＤＤシステムの無線品質が劣化していないことを確認した上で、デュアル移動局２０による位置登録を必要なものに適切に絞ることができる。
【００７１】
［第２実施形態］
次に、第２実施形態について説明する。図２（ｂ）には本実施形態の制御局とデュアル移動局の構成を表す機能ブロック図を示す。
【００７２】
図２（ｂ）に示すように、本実施形態の制御局１０は、第１実施形態と同様の負荷監視手段１０Ａと、負荷監視手段１０Ａによる監視で得られた負荷指標値（トラヒックや位置登録された移動局数等）をデュアル移動局２０に通知する負荷指標値通知手段１０Ｃとを含んで構成されている。デュアル移動局２０は、第１実施形態のデュアル移動局２０に対し、品質測定手段２０Ｃを除いた構成とされている。
【００７３】
次に、図５（ａ）、（ｂ）を用いて移動通信システム１における制御局１０とデュアル移動局２０の動作を説明する。
【００７４】
デュアル移動局２０は、最初の位置登録の際に位置登録手段２０Ａにより、メインシステムであるＦＤＤシステムにのみ位置登録を行う（Ａ２１）。一方の制御局１０は、負荷監視手段１０Ａにより、メインシステムであるＦＤＤシステムとサブシステムであるＴＤＤシステムの両方のトラヒックを監視し（Ｂ２１）、負荷指標値通知手段１０ＣによりＦＤＤシステムとＴＤＤシステムの両方のトラヒックをデュアル移動局２０に通知する（Ｂ２２）。
【００７５】
デュアル移動局２０は、上記ＦＤＤシステムとＴＤＤシステムの両方のトラヒック情報を受信すると（Ａ２２）、まずＦＤＤシステムのトラヒックが、予め定められたメインシステム用の基準値を超えているか否かを判断する（Ａ２３）。ここで、該トラヒックが基準値を超えていなければ、ＦＤＤシステムの負荷は過大ではないと判断できるため、ＴＤＤシステムへの位置登録を回避する（Ａ２５を回避）。
【００７６】
一方、ＦＤＤシステムのトラヒックが基準値を超えていれば、ＦＤＤシステムの負荷は過大であると判断できるため、次にＴＤＤシステムのトラヒックが、予め定められたサブシステム用の基準値を超えていないことを確認した後（Ａ２４で否定判断）、位置登録手段２０ＡによりＴＤＤシステムに位置登録を行う（Ａ２５）。もし、ＴＤＤシステムのトラヒックが基準値を超えていれば（Ａ２４で肯定判断）、ＴＤＤシステムへ新たに位置登録を行うことは望ましくないので、ＴＤＤシステムへの位置登録を回避する（Ａ２５を回避）。
【００７７】
このように図５の動作によれば、デュアル移動局２０は、制御局１０からのＦＤＤシステム及びＴＤＤシステムのトラヒックの通知を受け、該通知に基づきＴＤＤシステムの負荷が過大ではないことを確認した上で、ＦＤＤシステムの負荷が過大であると判断できる場合に、ＴＤＤシステムに位置登録を行うため、ＦＤＤシステムとＴＤＤシステムの両システムの負荷に応じて、デュアル移動局２０による位置登録を適切に絞ることができ、トラヒックの増大及び移動局の電力消費量の増大を回避することができる。
【００７８】
［第３実施形態］
次に、第３実施形態について説明する。図２（ｃ）には本実施形態の制御局とデュアル移動局の構成を表す機能ブロック図を示す。この第３実施形態では、デュアル移動局２０が、制御局１０からの命令や通知を受けることなく、自律的にサブシステムへの位置登録の是非を判断して位置登録を行う例を説明する。
【００７９】
図２（ｃ）に示すように、本実施形態のデュアル移動局２０は第１実施形態と同様の構成とされ、制御局１０には、前述の実施形態のような負荷監視手段１０Ａ、命令制御手段１０Ｂ、負荷指標値通知手段１０Ｃは必要とされない。
【００８０】
次に、図６を用いて移動通信システム１におけるデュアル移動局２０の動作を説明する。
【００８１】
デュアル移動局２０は、最初の位置登録の際に位置登録手段２０Ａにより、メインシステムであるＦＤＤシステムにのみ位置登録を行う（Ａ３１）。そして、品質測定手段２０ＣによりＦＤＤシステムの受信電力とＴＤＤシステムの受信電力の両方を測定し（Ａ３２）、測定で得られたＦＤＤシステムの受信電力が、予め定められたＦＤＤシステムの受信電力用の基準値を下回っているか否かを判断する（Ａ３３）。ここで、該受信電力が基準値を下回っていれば、現状のＦＤＤシステムの無線品質は劣化していると判断できるため、測定で得られたＴＤＤシステムの受信電力が、予め定められたＴＤＤシステムの受信電力用の基準値を下回っていないことを確認した後（Ａ３４）、位置登録手段２０ＡによりＴＤＤシステムに位置登録を行う（Ａ３５）。
【００８２】
一方、Ａ３３にてＦＤＤシステムの受信電力が基準値を下回っていなければ、現状のＦＤＤシステムの無線品質は劣化していないと判断できるため、位置登録手段２０ＡによるＴＤＤシステムへの位置登録を回避する（Ａ３５を回避）。また、Ａ３４にてＴＤＤシステムの受信電力が基準値を下回っていれば、現状のＴＤＤシステムの無線品質は劣化していると判断できるため、位置登録手段２０Ａによる当該ＴＤＤシステムへの位置登録を回避する（Ａ３５を回避）。
【００８３】
このように図６の動作によれば、デュアル移動局２０は、自局で測定したＦＤＤ、ＴＤＤの各システムの受信電力に基づいて、現状のＦＤＤシステムの無線品質が劣化していると判断でき且つＴＤＤシステムの無線品質が劣化していないと判断できる場合にのみＴＤＤシステムへの位置登録を行うため、位置登録先のＴＤＤシステムの無線品質が劣化していないことを確認した上で、デュアル移動局２０による位置登録を必要なものに適切に絞ることができ、トラヒックの増大及び移動局の電力消費量の増大を回避することができる。
【００８４】
［第４実施形態］
次に、第４実施形態について説明する。図２（ｄ）には本実施形態の制御局とデュアル移動局の構成を表す機能ブロック図を示す。
【００８５】
図２（ｄ）に示すように、本実施形態の制御局１０は、第２実施形態と同様の構成とされ、負荷監視手段１０Ａと負荷指標値通知手段１０Ｃとを含んで構成されている。デュアル移動局２０は、第１実施形態のデュアル移動局２０と同様の構成とされ、位置登録手段２０Ａと、登録制御手段２０Ｂと、品質測定手段２０Ｃとを含んで構成されている。
【００８６】
次に、図７（ａ）、（ｂ）を用いて移動通信システム１における制御局１０とデュアル移動局２０の動作を説明する。
【００８７】
デュアル移動局２０は、最初の位置登録の際に位置登録手段２０Ａにより、メインシステムであるＦＤＤシステムにのみ位置登録を行う（Ａ４１）。一方の制御局１０は、負荷監視手段１０Ａにより、メインシステムであるＦＤＤシステムとサブシステムであるＴＤＤシステムの各々における位置登録済の移動局数を監視し（Ｂ４１）、負荷指標値通知手段１０ＣによりＦＤＤシステムとＴＤＤシステムの各々における位置登録済の移動局数をデュアル移動局２０に通知する（Ｂ４２）。
【００８８】
デュアル移動局２０は、上記ＦＤＤシステムとＴＤＤシステムの各々における位置登録済の移動局数の情報を受信すると（Ａ４２）、品質測定手段２０ＣによりＦＤＤシステムのＳＩＲとＴＤＤシステムのＳＩＲの両方を測定する（Ａ４３）。そして、ＦＤＤシステムの位置登録済の移動局数が予め定められたメインシステムの位置登録済移動局数用の基準値を超え、且つ、測定で得られたＦＤＤシステムのＳＩＲが予め定められたメインシステムのＳＩＲ用の基準値を下回っているか否かを判断する（Ａ４４）。ここで、ＦＤＤシステムの位置登録済の移動局数が基準値を超えていないか又はＳＩＲが基準値を下回っていなければ、ＦＤＤシステムの負荷は過大である又は過大となりうると一概に判断できないため、ＴＤＤシステムへの位置登録を回避する（Ａ４６を回避）。
【００８９】
一方、ＦＤＤシステムの位置登録済の移動局数が基準値を超え且つＳＩＲが基準値を下回っていれば、ＦＤＤシステムの負荷は過大である又は過大となりうると判断できるため、ＴＤＤシステムの位置登録済の移動局数が基準値を超えておらず且つＴＤＤシステムのＳＩＲも基準値を下回っていないことを確認した後（Ａ４５で否定判断）、位置登録手段２０ＡによりＴＤＤシステムに位置登録を行う（Ａ４６）。
【００９０】
もし、ＴＤＤシステムの位置登録済の移動局数が基準値を超えているか又はＳＩＲが基準値を下回っていれば（Ａ４５で肯定判断）、ＴＤＤシステムへ新たに位置登録を行うことは望ましくないので、ＴＤＤシステムへの位置登録を回避する（Ａ４６を回避）。
【００９１】
このように図７の動作によれば、デュアル移動局２０は、制御局１０からのＦＤＤシステム及びＴＤＤシステムの位置登録済の移動局数の通知を受け、自局でもＦＤＤシステム及びＴＤＤシステムのＳＩＲを測定し、該通知及びＳＩＲに基づきＴＤＤシステムの負荷が過大でなく無線品質も劣化していないことを確認した上で、ＦＤＤシステムの負荷が過大である又は過大となりうると判断できる場合に、ＴＤＤシステムに位置登録を行うため、ＦＤＤシステムとＴＤＤシステムの両システムの負荷及び無線品質状態に応じて、デュアル移動局２０による位置登録を適切に絞ることができ、トラヒックの増大及び移動局の電力消費量の増大を回避することができる。
【００９２】
なお、上記の第１〜第４実施形態では、ＩＭＴ２０００によるＦＤＤシステムとＴＤＤシステムのデュアルシステムの例を示すが、本発明は３つ以上の通信方式に基づくシステムが並存するデュアルシステムに対しても適用可能である。
【００９３】
また、ＦＤＤシステムを予め定められたメインシステムとして説明したが、ＴＤＤシステムをメインシステムとした場合も上記同様に実行できることは言うまでもない。
【００９４】
【発明の効果】
以上説明したように、本発明によれば、メインシステム等の負荷や無線品質に応じて、デュアル移動局による位置登録を適切に絞ることができ、トラヒックの増大及び移動局の電力消費量の増大を回避することができる。
【図面の簡単な説明】
【図１】第１〜第４実施形態の移動通信システムの構成図である。
【図２】各実施形態の制御局及びデュアル移動局の構成を示す機能ブロック図であり、（ａ）は第１実施形態に関する機能ブロック図、（ｂ）は第２実施形態に関する機能ブロック図、（ｃ）は第３実施形態に関する機能ブロック図、（ｄ）は第４実施形態に関する機能ブロック図をそれぞれ示す。
【図３】（ａ）は第１実施形態のデュアル移動局の動作を示す流れ図であり、（ｂ）は第１実施形態の制御局の動作を示す流れ図である。
【図４】（ａ）は第１実施形態の変形態様のデュアル移動局の動作を示す流れ図であり、（ｂ）は第１実施形態の変形態様の制御局の動作を示す流れ図である。
【図５】（ａ）は第２実施形態のデュアル移動局の動作を示す流れ図であり、（ｂ）は第２実施形態の制御局の動作を示す流れ図である。
【図６】第３実施形態のデュアル移動局の動作を示す流れ図である。
【図７】（ａ）は第４実施形態のデュアル移動局の動作を示す流れ図であり、（ｂ）は第４実施形態の制御局の動作を示す流れ図である。
【図８】制御局１０の各種の構成態様を示す図であり、（ａ）は複数の基地局と無線制御局により構成した例を、（ｂ）は基地局により構成した例を、（ｃ）は無線制御局により構成した例をそれぞれ示す。
【符号の説明】
１…移動通信システム、２…セル、１０…制御局、１０Ａ…負荷監視手段、１０Ｂ…命令制御手段、１０Ｃ…負荷指標値通知手段、１１…無線制御局、１２、１３…基地局、２０…デュアル移動局、２０Ａ…位置登録手段、２０Ｂ…登録制御手段、２０Ｃ…品質測定手段、２１…移動局。
【図１】
0004173669.tif 000002
【図２】
0004173669.tif 000003
【図３】
0004173669.tif 000004
【図４】
0004173669.tif 000005
【図５】
0004173669.tif 000006
【図６】
0004173669.tif 000007
【図７】
0004173669.tif 000008
【図８】
0004173669.tif 000009